(57)【要約】【課題】高コスト化を招くことなく、高速記録においても最適な発光パワーを維持する。【解決手段】少なくとも３つの電流信号を出力する電流信号源（２４５〜２４８）と、レーザ光のパワーを略矩形パルス状に変化させて光ディスクへの情報の記録が行なわれるときに、電流信号源からの少なくとも３つの電流信号を加算して、パワーのピーク値に対応する光源の駆動信号を生成する駆動信号生成手段（２４１、２５７〜２５９など）とを備える。これにより、記録速度の高速化に対応して、ピーク値に対応する光源の駆動信号が大きくなっても、記録品質に影響するような信号遅延が駆動信号に生じることを抑制することできる。そして、大量生産されている安価な汎用品で光源駆動装置を構成することができる。【選択図】図３
2005190608.tif 000002
【特許請求の範囲】
【請求項１】
光ディスクに照射されるレーザ光の光源を駆動する光源駆動装置であって、
少なくとも３つの電流信号を出力する電流信号源と；
前記レーザ光のパワーを略矩形パルス状に変化させて光ディスクへの情報の記録が行なわれるときに、前記少なくとも３つの電流信号を加算して、前記パワーのピーク値に対応する前記光源の駆動信号を生成する駆動信号生成手段と；を備える光源駆動装置。
【請求項２】
前記光ディスクが書き換え可能な光ディスクの場合に、
前記電流信号源から第１電流信号と第２電流信号と第３電流信号とが出力され、
前記第１電流信号の信号レベルは、前記光源に供給される電流の電流値と前記光源の発光パワーとの関係において、前記発光パワーが０近傍から急に大きくなるときの電流値であるしきい値に対応する信号レベル以下となるように設定され、
前記第２電流信号の信号レベルは、ライトパワーに対応する信号レベルとイレーズパワーに対応する信号レベルとの差にほぼ等しくなるように設定され、
前記第３電流信号の信号レベルは、前記イレーズパワーに対応する信号レベルと前記第１電流信号の信号レベルとの差にほぼ等しくなるように設定されていることを特徴とする請求項１に記載の光源駆動装置。
【請求項３】
前記電流信号源は、ベースパワーに対応する信号レベルに設定されている第４電流信号を更に出力し、
前記駆動信号生成手段は、前記第４電流信号を用いて、前記光ディスクに記録されている情報を再生するときの前記光源の駆動信号を生成することを特徴とする請求項２に記載の光源駆動装置。
【請求項４】
前記駆動信号生成手段は、ライトゲート信号に基づいて前記第１電流信号及び前記第４電流信号の一方を選択することを特徴とする請求項３に記載の光源駆動装置。
【請求項５】
前記書き換え可能な光ディスクは、ＣＤ−ＲＷ、ＤＶＤ−ＲＷ、及びＤＶＤ＋ＲＷのいずれかの規格に準拠した光ディスクであることを特徴とする請求項２〜４のいずれか一項に記載の光源駆動装置。
【請求項６】
前記光ディスクが追記型の光ディスクの場合に、
前記電流信号源から第１電流信号と第２電流信号と第３電流信号とが出力され、
前記第１電流信号の信号レベルは、リードパワーに対応する信号レベルにほぼ等しくなるように設定され、
前記第３電流信号の信号レベルは、前記リードパワーとライトパワーとの間に設定された中間パワーに対応する信号レベルと前記第１電流信号の信号レベルとの差にほぼ等しくなるように設定され、
前記第２電流信号の信号レベルは、前記ライトパワーに対応する信号レベルと前記中間パワーに対応する信号レベルとの差にほぼ等しくなるように設定されていることを特徴とする請求項１に記載の光源駆動装置。
【請求項７】
前記追記型の光ディスクは、ＣＤ−Ｒ、ＤＶＤ−Ｒ、及びＤＶＤ＋Ｒのいずれかの規格に準拠した光ディスクであることを特徴とする請求項６に記載の光源駆動装置。
【請求項８】
前記レーザ光のパワーのモニタ信号に基づいて、前記第１電流信号及び前記第２電流信号をそれぞれ調整する電流信号調整手段を更に備えることを特徴とする請求項２〜７のいずれか一項に記載の光源駆動装置。
【請求項９】
光ディスクに対して情報の記録、再生及び消去のうち少なくとも記録を行なう光ディスク装置であって、
光ディスクに照射するレーザ光を発光する光源と；
前記光源を駆動する請求項１〜８のいずれか一項に記載の光源駆動装置と；
前記光源駆動装置を制御し、前記光ディスクに情報を記録する記録手段と；を備える光ディスク装置。
【発明の詳細な説明】
【技術分野】
【０００１】
本発明は光源駆動装置及び光ディスク装置に係り、さらに詳しくは、光ディスクに照射されるレーザ光の光源を駆動する光源駆動装置、及び該光源駆動装置を備える光ディスク装置に関する。
【背景技術】
【０００２】
近年、デジタル技術の進歩及びデータ圧縮技術の向上に伴い、音楽、写真及びコンピュータソフトなどの情報（以下「コンテンツ」ともいう）を記録するための媒体として、ＣＤ（compact disc）やＤＶＤ（digital versatile disc）などの光ディスクが注目されるようになり、その低価格化とともに、光ディスクを情報記録の対象媒体とする光ディスク装置が普及するようになった。
【０００３】
この光ディスク装置では、光源からレーザ光を出射し、スパイラル状又は同心円状のトラックが形成された光ディスクの記録面に微小スポットを形成して情報の記録及び消去を行い、記録面からの反射光に基づいて情報の再生などを行っている。
【０００４】
ところで、光ディスクでは、互いに反射率の異なるマーク領域及びスペース領域のそれぞれの長さとそれらの組み合わせとによって情報が記録される。そこで、光ディスク装置では、光ディスクに情報を記録する際には目標位置に目標長さのマーク領域及びスペース領域がそれぞれ形成されるように、光源から出射されるレーザ光のパワー（発光パワー）が制御される。
【０００５】
記録面に有機色素を含むＣＤ−Ｒ（ＣＤ−recordable）、ＤＶＤ−Ｒ（ＤＶＤ−recordable）、及びＤＶＤ＋Ｒ（ＤＶＤ＋recordable）などの一度だけ書き込みが可能な光ディスク（以下「追記型光ディスク」ともいう）では、マーク領域を形成するときには発光パワーを大きくして色素を加熱及び溶解し、そこに接しているディスク基板部分を変質・変形させている。一方、スペース領域を形成するときにはディスク基板が変質・変形しないように発光パワーを再生時と同程度に小さくしている。これにより、マーク領域ではスペース領域よりも反射率が低くなる。このような発光パワーの制御方式は、単パルス記録方式とも呼ばれている。なお、マーク領域を形成するときの発光パワーはライトパワーとも呼ばれている。また、再生時の発光パワーはリードパワーとも呼ばれている。当然、リードパワー＜ライトパワーである。
【０００６】
記録面に特殊合金を含むＣＤ−ＲＷ（ＣＤ−rewritable）、ＤＶＤ−ＲＷ（ＤＶＤ−rewritable）、及びＤＶＤ＋ＲＷ（ＤＶＤ＋rewritable）などの書き換え可能な光ディスク（以下「書き換え型光ディスク」ともいう）では、マーク領域を形成する時には、特殊合金を第１の温度に加熱したのち急冷し、アモルファス（非晶質）状態にしている。一方、スペース領域を形成する時には、特殊合金を第１の温度よりも低い第２の温度に加熱したのち徐冷し、結晶状態にしている。これにより、マーク領域ではスペース領域よりも反射率が低くなる。このような特殊合金の温度制御はレーザ光の発光パワーを制御することによって行なわれる。なお、蓄熱の影響を除去するために、マーク領域を形成するときの発光パワーを複数のパルスに分割（マルチパルス化）することが行なわれている。このような発光パワーの制御方式はマルチパルス記録方式とも呼ばれている。マルチパルス化された発光パワーのピーク値は加熱パワー（又はライトパワー）、ボトム値は冷却パワーとも呼ばれている。そして、加熱パワーが含まれるパルスは加熱パルス、冷却パワーが含まれるパルスは冷却パルスと呼ばれている。また、スペース領域を形成するときの発光パワーはイレーズパワーとも呼ばれている。なお、加熱パワー＞イレーズパワー＞冷却パワーである。
【０００７】
上記発光パワーは、記録品質に大きな影響を与えるため、発光パワーを精度良く制御するための装置が種々提案されている（例えば、特許文献１〜特許文献４参照）。
【０００８】
光ディスク装置で通常用いられる半導体レーザなどの光源は電流駆動型であり、その発光パワーはドライバから供給される電流（駆動電流）によって制御されている。この駆動電流の電流値と発光パワーとの関係は一般に「Ｉ−Ｌ特性」と呼ばれている。
【０００９】
例えば追記型光ディスクの場合には、発光パワーを制御するために、２種類の電流信号がドライバに入力されている。1つはリードパワーに対応する信号レベルの電流信号（電流信号Ａとする）であり、他の１つはライトパワーとリードパワーとの差に対応する信号レベルの電流信号（電流信号Ｂとする）である。そして、ドライバでは、リードパワーに対しては電流信号Ａのみに基づいた駆動電流を供給し、ライトパワーに対しては電流信号Ａと電流信号Ｂとの和信号に基づいた駆動電流を供給している。これにより、リードパワーからライトパワーへのパワー変更、及びライトパワーからリードパワーへのパワー変更が円滑に行なわれることとなる。
【００１０】
また、書き換え型光ディスクの場合には、マーク領域を形成するときの発光パワーを制御するために、冷却パワーに対応する信号レベルの電流信号（電流信号Ｘとする）と加熱パワーと冷却パワーとの差に対応する信号レベルの電流信号（電流信号Ｙとする）がドライバに入力されている。そして、ドライバでは、冷却パワーに対しては電流信号Ｘのみに基づいた駆動電流を供給し、加熱パワーに対しては電流信号Ｘと電流信号Ｙとの和信号に基づいた駆動電流を供給している。これにより、冷却パワーから加熱パワーへのパワー変更、及び加熱パワーから冷却パワーへのパワー変更が円滑に行なわれることとなる。
【００１１】
ところで、光ディスクの利用が一般化するにつれて、記録速度のさらなる高速化に対する要求が高まっている。記録速度が高速化されると、マーク領域及びスペース領域を短時間で形成しなければならないため、上述したパワー変更を更に迅速に行なう必要がある。しかしながら、記録速度の高速化に伴ってライトパワー（加熱パワー）が大きくなるため、ライトパワーとリードパワーとの差、及び加熱パワーと冷却パワーとの差も大きくなり、ドライバを含むパワー制御回路が、大量生産されている汎用品で構成されている場合には、パワー制御回路内での信号遅延に起因して、パワー変更に遅れを生じることが予想される。この場合には、ジッタが大きくなり記録品質が低下することとなる。そこで、特許文献１〜特許文献４に開示されている装置では、記録速度が高速化されると、記録品質を維持するためにはパワー制御回路で用いられているオペアンプなどの電気・電子部品を高スルー・レートのものにする必要がある。さらに、大きなライトパワー（加熱パワー）に対応するため、広いダイナミックレンジをもつ電気・電子部品、大きな電流を出力する電流源などが必要となる。すなわち、高価な電気・電子部品を用いる必要があり、コスト高を招くおそれがある。
【００１２】
【特許文献１】特開２００１−３４４７５２号公報
【特許文献２】特開２００２−２９８４１７号公報
【特許文献３】特開２００２−３３４４３３号公報
【特許文献４】特開２００２−５７４０３号公報
【発明の開示】
【発明が解決しようとする課題】
【００１３】
本発明は、かかる事情の下になされたもので、その第１の目的は、高コスト化を招くことなく、高速記録においても最適な発光パワーを維持することができる光源駆動装置を提供することにある。
【００１４】
また、本発明の第２の目的は、記録品質に優れた高速記録を安定して行うことができる光ディスク装置を提供することにある。
【課題を解決するための手段】
【００１５】
請求項１に記載の発明は、光ディスクに照射されるレーザ光の光源を駆動する光源駆動装置であって、少なくとも３つの電流信号を出力する電流信号源と；前記レーザ光のパワーを略矩形パルス状に変化させて光ディスクへの情報の記録が行なわれるときに、前記少なくとも３つの電流信号を加算して、前記パワーのピーク値に対応する前記光源の駆動信号を生成する駆動信号生成手段と；を備える光源駆動装置である。
【００１６】
これによれば、レーザ光のパワーを略矩形パルス状に変化させて光ディスクに情報を記録するときに、駆動信号生成手段により、電流信号源から出力される少なくとも３つの電流信号が加算されて、レーザ光のパワーのピーク値に対応する光源の駆動信号が生成される。この場合には、例えば、記録速度の高速化に対応して、ピーク値に対応する光源の駆動信号が大きくなっても、加算される電流信号の数が従来よりも多いため、電流信号源から出力される電流信号の信号レベルを従来以上に高くする必要はない。そのため、光源駆動装置を構成する電気・電子部品が大量生産されている安価な汎用品であっても、記録品質に影響するような信号遅延が駆動信号に生じることを抑制することできる。すなわち、記録速度が高速化されても、書き込み信号に対応した駆動信号を精度良く出力することができる。従って、結果として、高コスト化を招くことなく、高速記録においても最適な発光パワーを維持することが可能となる。
【００１７】
この場合において、請求項２に記載の光源駆動装置の如く、前記光ディスクが書き換え可能な光ディスクの場合に、前記電流信号源から第１電流信号と第２電流信号と第３電流信号とが出力され、前記第１電流信号の信号レベルは、前記光源に供給される電流の電流値と前記光源の発光パワーとの関係において、前記発光パワーが０近傍から急に大きくなるときの電流値であるしきい値に対応する信号レベル以下となるように設定され、前記第２電流信号の信号レベルは、ライトパワーに対応する信号レベルとイレーズパワーに対応する信号レベルとの差にほぼ等しくなるように設定され、前記第３電流信号の信号レベルは、前記イレーズパワーに対応する信号レベルと前記第１電流信号の信号レベルとの差にほぼ等しくなるように設定されていることとすることができる。
【００１８】
この場合において、請求項３に記載の光源駆動装置の如く、前記電流信号源は、ベースパワーに対応する信号レベルに設定されている第４電流信号を更に出力し、前記駆動信号生成手段は、前記第４電流信号を用いて、前記光ディスクに記録されている情報を再生するときの前記光源の駆動信号を生成することとすることができる。
【００１９】
この場合において、請求項４に記載の光源駆動装置の如く、前記駆動信号生成手段は、ライトゲート信号に基づいて前記第１電流信号及び前記第４電流信号の一方を選択することとすることができる。かかる場合には、回路の一部を共用することが可能となり、低コスト化及び小型化を促進することができる。
【００２０】
上記請求項２〜４に記載の各光源駆動装置において、請求項５に記載の光源駆動装置の如く、前記書き換え可能な光ディスクは、ＣＤ−ＲＷ、ＤＶＤ−ＲＷ、及びＤＶＤ＋ＲＷのいずれかの規格に準拠した光ディスクであることとすることができる。
【００２１】
上記請求項１に記載の光源駆動装置において、請求項６に記載の光源駆動装置の如く、前記光ディスクが追記型の光ディスクの場合に、前記電流信号源から第１電流信号と第２電流信号と第３電流信号とが出力され、前記第１電流信号の信号レベルは、リードパワーに対応する信号レベルにほぼ等しくなるように設定され、前記第３電流信号の信号レベルは、前記リードパワーとライトパワーとの間に設定された中間パワーに対応する信号レベルと前記第１電流信号の信号レベルとの差にほぼ等しくなるように設定され、前記第２電流信号の信号レベルは、前記ライトパワーに対応する信号レベルと前記中間パワーに対応する信号レベルとの差にほぼ等しくなるように設定されていることとすることができる。
【００２２】
この場合において、請求項７に記載の光源駆動装置の如く、前記追記型の光ディスクは、ＣＤ−Ｒ、ＤＶＤ−Ｒ、及びＤＶＤ＋Ｒのいずれかの規格に準拠した光ディスクであることとすることができる。
【００２３】
上記請求項２〜７に記載の各光源駆動装置において、請求項８に記載の光源駆動装置の如く、前記レーザ光のパワーのモニタ信号に基づいて、前記第１電流信号及び前記第２電流信号をそれぞれ調整する電流信号調整手段を更に備えることとすることができる。
【００２４】
請求項９に記載の発明は、光ディスクに対して情報の記録、再生及び消去のうち少なくとも記録を行なう光ディスク装置であって、光ディスクに照射するレーザ光を発光する光源と；前記光源を駆動する請求項１〜８のいずれか一項に記載の光源駆動装置と；前記光源駆動装置を制御し、前記光ディスクに情報を記録する記録手段と；を備える光ディスク装置である。
【００２５】
これによれば、請求項１〜８のいずれか一項に記載の光源駆動装置によって光源が駆動されるため、高速記録においても最適な発光パワーを維持することができる。従って、記録手段による高速度での記録を安定して行うことが可能となる。
【発明を実施するための最良の形態】
【００２６】
以下、本発明の一実施形態を図１〜図５に基づいて説明する。図１には、本発明の一実施形態に係る光ディスク装置２０の概略構成が示されている。
【００２７】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、光源駆動装置としてのレーザ制御回路２４、エンコーダ２５、ドライバ２６、サーボ制御回路２７、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、一例としてＣＤ−ＲＷの規格に準拠した情報記録媒体が光ディスク１５に用いられるものとする。
【００２８】
前記光ピックアップ装置２３は、スパイラル状又は同心円状のトラックが形成された光ディスク１５の記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、２つの検出レンズ（５８，７２）、２つの受光器（ＰＤ１，ＰＤ２）、反射ミラー７１、及び駆動系（フォーカシングアクチュエータ及びトラッキングアクチュエータ（いずれも図示省略））などを備えている。
【００２９】
上記光源ユニット５１は、波長が７８０ｎｍのレーザ光を発光する光源としての半導体レーザＬＤを含んで構成されている。なお、本実施形態では、光源ユニット５１から出射されるレーザ光の最大強度出射方向を＋Ｘ方向とする。この光源ユニット５１の＋Ｘ側には、前記コリメートレンズ５２が配置され、光源ユニット５１から出射された光束を略平行光とする。
【００３０】
前記ビームスプリッタ５４は、コリメートレンズ５２の＋Ｘ側に配置され、コリメートレンズ５２からの光束をそのまま透過させ、かつ光ディスク１５の記録面で反射した光束（戻り光束）を−Ｚ方向に分岐する。このビームスプリッタ５４の＋Ｘ側には前記対物レンズ６０が配置され、ビームスプリッタ５４を透過した光束を光ディスク１５の記録面に集光する。
【００３１】
前記検出レンズ５８は、ビームスプリッタ５４の−Ｚ側に配置され、ビームスプリッタ５４で−Ｚ方向に分岐された戻り光束を前記受光器ＰＤ１の受光面に集光する。受光器ＰＤ１は、通常の光ディスク装置と同様に、ウォブル信号情報、再生データ情報、フォーカスエラー情報及びトラックエラー情報などを含む信号を出力する複数の受光素子を含んで構成されている。各受光素子はそれぞれ光電変換により受光量に応じた信号を生成し再生信号処理回路２８に出力する。
【００３２】
前記反射ミラー７１は、コリメートレンズ５２の近傍に配置され、光源ユニット５１から出射された光束の一部をモニタ用光束として−Ｚ方向に反射する。
【００３３】
前記検出レンズ７２は、反射ミラー７１の−Ｚ側に配置され、反射ミラー７１で−Ｚ方向に反射されたモニタ用光束を前記受光器ＰＤ２の受光面に集光する。受光器ＰＤ２としては通常の受光素子が用いられる。受光器ＰＤ２は、光電変換により受光量に応じた信号を生成し、モニタ信号としてレーザ制御回路２４に出力する。
【００３４】
前記フォーカシングアクチュエータ（図示省略）は、対物レンズ６０の光軸方向であるフォーカス方向（ここではＸ軸方向）に対物レンズ６０を微少駆動するためのアクチュエータである。前記トラッキングアクチュエータ（図示省略）は、トラックの接線方向に直交する方向であるトラッキング方向（ここではＺ軸方向）に対物レンズ６０を微少駆動するためのアクチュエータである。
【００３５】
図１に戻り、前記再生信号処理回路２８は、Ｉ／Ｖアンプ２８ａ、サーボ信号検出回路２８ｂ、ウォブル信号検出回路２８ｃ、ＲＦ信号検出回路２８ｄ、及びデコーダ２８ｅなどから構成されている。
【００３６】
前記Ｉ／Ｖアンプ２８ａは、受光器ＰＤ１の出力信号をそれぞれ電圧信号に変換するとともに、所定のゲインで増幅する。
【００３７】
前記サーボ信号検出回路２８ｂは、Ｉ／Ｖアンプ２８ａの出力信号に基づいてフォーカスエラー信号及びトラックエラー信号などのサーボ信号を検出する。ここで検出されたサーボ信号は前記サーボ制御回路２７に出力される。
【００３８】
前記ウォブル信号検出回路２８ｃは、Ｉ／Ｖアンプ２８ａの出力信号に基づいてウォブル信号を検出する。前記ＲＦ信号検出回路２８ｄは、Ｉ／Ｖアンプ２８ａの出力信号に基づいてＲＦ信号を検出する。前記デコーダ２８ｅは前記ウォブル信号からアドレス情報及び同期信号などを抽出する。ここで抽出されたアドレス情報はＣＰＵ４０に出力され、同期信号はエンコーダ２５に出力される。また、デコーダ２８ｅは前記ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００３９】
前記サーボ制御回路２７は、前記フォーカスエラー信号に基づいてフォーカスずれを補正するためのフォーカス制御信号を生成し、前記トラックエラー信号に基づいてトラックずれを補正するためのトラッキング制御信号を生成する。また、サーボ制御回路２７は、ＣＰＵ４０の指示に基づいて、スピンドルモータ２２を駆動制御するためのスピンドルモータ制御信号、及びシークモータ２１を駆動制御するためのシークモータ制御信号をそれぞれ生成する。ここで生成された各制御信号は、それぞれドライバ２６に出力される。
【００４０】
前記ドライバ２６は、前記フォーカス制御信号に応じたフォーカシングアクチュエータの駆動信号を光ピックアップ装置２３に出力するとともに、前記トラッキング制御信号に応じたトラッキングアクチュエータの駆動信号を光ピックアップ装置２３に出力する。これにより、トラッキング制御及びフォーカス制御が行われる。また、ドライバ２６は、前記スピンドルモータ制御信号に応じた駆動信号をスピンドルモータ２２に出力するとともに、前記シークモータ制御信号に応じた駆動信号をシークモータ２１に出力する。
【００４１】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４２】
前記エンコーダ２５は、ＣＰＵ４０の指示に基づいてバッファＲＡＭ３４に蓄積されている記録用データをバッファマネージャ３７を介して取り出し、データの変調及びエラー訂正コードの付加等を行ない、光ディスク１５への書き込み信号を生成する。ここで生成された書き込み信号はレーザ制御回路２４に出力される。
【００４３】
前記レーザ制御回路２４は、半導体レーザＬＤから出射されるレーザ光のパワーを制御する。このレーザ制御回路２４の詳細については後述する。
【００４４】
前記インターフェース３８は、ホスト（例えば、パソコン）との双方向の通信インターフェースであり、ＡＴＡＰＩ（AT Attachment Packet Interface）及びＳＣＳＩ（Small Computer System Interface）などの標準インターフェースに準拠している。
【００４５】
前記フラッシュメモリ３９には、ＣＰＵ４０にて解読可能なコードで記述されたプログラム、記録ストラテジ情報を含む記録条件、及び半導体レーザＬＤに供給される電流の電流値（Iとする）と半導体レーザＬＤの発光パワー（Ｌとする）との関係（図４（Ａ）〜図４（Ｄ）参照）、すなわちＩ−Ｌ特性（以下「発光特性」ともいう）などが格納されている。
【００４６】
前記ＣＰＵ４０は、フラッシュメモリ３９に格納されている上記プログラムに従って前記各部の動作を制御するとともに、制御に必要なデータなどをＲＡＭ４１に保存する。
【００４７】
ここで、前記レーザ制御回路２４について説明する。レーザ制御回路２４は、一例として図３に示されるように、書込みパルス生成回路２４１、Ｉ／Ｖアンプ２４２、２つのサンプルホールド（Ｓ／Ｈ）回路（２４３、２４４）、４つのＤＡコンバータ（ＤＡＣ）（２４５、２４６、２４７、２４８）、３つの切換スイッチ（ｓｗ１、ｓｗ２、ｓｗ３）、２つの比較回路（２５１、２５２）、２つのローパスフィルタ（ＬＰＦ）（２５３、２５４）、２つのアンプ（２５５、２５６）、及び３つの電流増幅器（２５７、２５８、２５９）を有している。なお、レーザ制御回路２４を構成する各種部品には、大量生産され、安価に入手可能な汎用品が用いられている。また、マーク領域を形成するときの発光パワーはマルチパルス化され、各パルスは略矩形形状となるように設定されているものとする。
【００４８】
前記書込みパルス生成回路２４１は、エンコーダ２５からの書き込み信号（Ｗdataとする）、デコーダ２８ｅからの同期信号、及びフラッシュメモリ３９に格納されている記録ストラテジ情報などに基づいて書込みパルス信号ＥＦＭ１、ＥＦＭ２を生成する（図５参照）。ここでは、ＥＦＭ１は加熱パルスに対応して「ロー」レベルから「ハイ」レベルに変化するパルス信号である。また、ＥＦＭ２は加熱パワー及びイレーズパワーに対応して「ハイ」レベルとなるパルス信号である。
【００４９】
前記Ｉ／Ｖアンプ２４２は、受光器ＰＤ２からの前記モニタ信号を電圧信号に変換するとともに、所定のゲインで増幅する。
【００５０】
前記Ｓ／Ｈ回路２４３は、不図示のタイミング信号生成回路からのタイミング信号に同期してＩ／Ｖアンプ２４２の出力信号レベルをサンプル／ホールドする。ここでは、イレーズパワー（Ｐeとする）に対応する信号レベルがサンプル／ホールドされるように設定されている。
【００５１】
前記Ｓ／Ｈ回路２４４は、不図示のタイミング信号生成回路からのタイミング信号に同期してＩ／Ｖアンプ２４２の出力信号レベルをサンプル／ホールドする。ここでは、ライトパワー（Ｐwとする）に対応する信号レベルがサンプル／ホールドされるように設定されている。
【００５２】
前記ＤＡＣ２４５は、一例として図４（Ａ）に示されるように、半導体レーザＬＤの発光特性において、発光パワーがベースパワー（Ｐbとする）となるときの電流値Ｉ0に対応するＣＰＵ４０からのデジタル信号をアナログ信号（第４電流信号）に変換する。
【００５３】
前記ＤＡＣ２４６は、一例として図４（Ｂ）に示されるように、半導体レーザＬＤに供給されても発光パワーが０近傍である電流値Ｉ1（＜発光特性におけるしきい値Ｉth）に対応するＣＰＵ４０からのデジタル信号をアナログ信号（第１電流信号）に変換する。
【００５４】
前記ＤＡＣ２４８は、一例として図４（Ｃ）に示されるように、発光パワーがイレーズパワーＰeとなるときの電流値Ｉ3と上記電流値Ｉ1との差に対応するＣＰＵ４０からのデジタル信号をアナログ信号（第３電流信号）に変換する。
【００５５】
前記ＤＡＣ２４７は、一例として図４（Ｄ）に示されるように、発光パワーがライトパワーＰwとなるときの電流値Ｉ2と上記電流値Ｉ3との差に対応するＣＰＵ４０からのデジタル信号をアナログ信号（第２電流信号）に変換する。
【００５６】
前記切換スイッチｓｗ１は、ライトゲート信号（以下「ＷＧ信号」という）が「ロー」レベルのときにＤＡＣ２４５の出力信号（第４電流信号）を選択し、ＷＧ信号が「ハイ」レベルのときにＤＡＣ２４６の出力信号（第１電流信号）を選択する。なお、ここでは、記録が開始されるとＷＧ信号は「ロー」レベルから「ハイ」レベルに変化し、記録が終了すると「ハイ」レベルから「ロー」レベルに変化するものとする。
【００５７】
前記切換スイッチｓｗ２は、ＷＧ信号が「ハイ」レベルのときは、前記電流増幅器２５７がＥＦＭ２に同期して「オン」状態及び「オフ」状態となるように前記書込みパルス生成回路２４１からのＥＦＭ２が入力される端子を選択する。一方、切換スイッチｓｗ２は、ＷＧ信号が「ロー」レベルのときは、電流増幅器２５７が常時「オン」状態となるような電源端子を選択する。
【００５８】
前記切換スイッチｓｗ３は、ＣＰＵ４０からの切換信号に応じて、切換スイッチｓｗ２を介した信号の端子、及び電流増幅器２５７が常時「オフ」状態となるような接地端子の一方を選択する。
【００５９】
前記比較回路２５１は、切換スイッチｓｗ１を介して入力される信号とＳ／Ｈ回路２４３の出力信号とを比較し、その比較結果を出力する。
【００６０】
前記比較回路２５２は、ＤＡＣ２４７の出力信号とＳ／Ｈ回路２４４の出力信号とを比較し、その比較結果を出力する。
【００６１】
前記ＬＰＦ２５３は、比較回路２５１の出力信号に含まれる高周波成分を除去する。前記ＬＰＦ２５４は、比較回路２５２の出力信号に含まれる高周波成分を除去する。
【００６２】
前記アンプ２５５は、ＬＰＦ２５３の出力信号を増幅する。前記アンプ２５６は、ＬＰＦ２５４の出力信号を増幅する。
【００６３】
前記電流増幅器２５７は、「オン」状態のときにアンプ２５５の出力信号を所定のゲインで増幅する。前記電流増幅器２５８は、「オン」状態のときにアンプ２５６の出力信号を所定のゲインで増幅する。前記電流増幅器２５９は、「オン」状態のときにＤＡＣ２４８の出力信号を所定のゲインで増幅する。なお、電流増幅器が「オフ」状態のときには、対応するアンプの出力信号は遮断され、電流増幅器の出力側には供給されない。
【００６４】
次に、上記のように構成されるレーザ制御回路２４の記録時の動作について図５のタイミングチャートを用いて説明する。なお、ＥＦＭ１、ＥＦＭ２及びＷＧ信号は「ロー」レベルであるものとする。また、切換スイッチｓｗ１ではＤＡＣ２４５の出力信号が選択され、切換スイッチｓｗ２では電源端子が選択され、切換スイッチｓｗ３では切換スイッチｓｗ２を介した信号の端子が選択されているものとする。従って、発光パワーはベースパワーＰbである。
【００６５】
記録が開始され、ＷＧ信号が「ロー」レベルから「ハイ」レベルに変化すると、切換スイッチｓｗ１はＤＡＣ２４６の出力信号を選択し、切換スイッチｓｗ２はＥＦＭ２が入力される端子を選択する。
【００６６】
そして、ＥＦＭ１及びＥＦＭ２がいずれも「ハイ」レベルになると、各電流増幅器はいずれも「オン」状態となり、各電流増幅器の出力信号が加算された駆動信号（電流値はＩ2）が半導体レーザＬＤに出力される。これにより、半導体レーザＬＤの発光パワーはＰwとなる。
【００６７】
ＥＦＭ１及びＥＦＭ２がいずれも「ロー」レベルになると、各電流増幅器はいずれも「オフ」状態となり、半導体レーザＬＤに出力される駆動信号の電流値は０となる。これにより、半導体レーザＬＤの発光パワーは０となる。
【００６８】
すなわち、マーク領域の形成中は、ＥＦＭ１及びＥＦＭ２がいずれも「ハイ」レベルの状態と、ＥＦＭ１及びＥＦＭ２がいずれも「ロー」レベルの状態とが繰り返され、半導体レーザＬＤは点灯（発光パワーＰw）と消灯とを繰り返すこととなる。
【００６９】
ＥＦＭ１が「ロー」レベル、かつＥＦＭ２が「ハイ」レベルになると、電流増幅器２５７と電流増幅器２５９は「オン」状態、かつ電流増幅器２５８は「オフ」状態となり、電流増幅器２５７の出力信号と電流増幅器２５９の出力信号が加算された駆動信号（電流値はＩ3）が半導体レーザＬＤに出力される。これにより、半導体レーザＬＤの発光パワーはＰeとなる。
【００７０】
記録が終了し、ＷＧ信号が「ハイ」レベルから「ロー」レベルに変化すると、切換スイッチｓｗ１はＤＡＣ２４５の出力信号を選択し、切換スイッチｓｗ２は電源端子を選択する。このときは、ＥＦＭ１及びＥＦＭ２がいずれも「ロー」レベルであり、電流増幅器２５７の出力信号が駆動信号（電流値はＩ0）として半導体レーザＬＤに出力される。これにより、半導体レーザＬＤの発光パワーはＰbとなる。
【００７１】
従って、記録速度が高速化されても、加熱パルスから冷却パルスへの移行及び冷却パルスから加熱パルスへの移行を迅速に行なうことが可能となる。
【００７２】
また、ＣＰＵ４０は、記録も再生も行なわれない場合には、切換信号により、切換スイッチｓｗ３で接地端子が選択されるように指示する。
【００７３】
以上の説明から明らかなように、本実施形態に係るレーザ制御回路２４では、４つのＤＡＣ（２４５、２４６、２４７、２４８）によって電流信号源が実現されている。また、書込みパルス生成回路２４１と３つの電流増幅器（２５７、２５８、２５９）と３つの切換スイッチ（ｓｗ１、ｓｗ２、ｓｗ３）とによって駆動信号生成手段が実現されている。さらに、２つのＳ／Ｈ回路（２４３、２４４）と２つの比較回路（２５１、２５２）とによって電流信号調整手段が実現されている。
【００７４】
また、本実施形態に係る光ディスク装置２０では、光ピックアップ装置２３、エンコーダ２５、ＣＰＵ４０及び該ＣＰＵ４０によって実行されるプログラムによって、記録手段が実現されている。なお、ＣＰＵ４０による処理の少なくとも一部をハードウェアによって構成することとしても良いし、あるいは全てをハードウェアによって構成することとしても良い。
【００７５】
以上説明したように、本実施形態に係るレーザ制御回路２４によると、ＤＡＣ２４６（電流信号源の一部）は、半導体レーザＬＤに供給されても発光パワーが０近傍である信号レベルの電流信号（電流値Ｉ1：第１電流信号）を出力する。ＤＡＣ２４８（電流信号源の一部）は、イレーズパワーＰeに対応する電流値Ｉ3と電流値Ｉ1との差に対応する信号レベルの電流信号（第２電流信号）を出力する。ＤＡＣ２４７（電流信号源の一部）は、ライトパワーＰwに対応する電流値Ｉ2と電流値Ｉ3との差に対応する信号レベルの電流信号（第３電流信号）を出力する。そして、光ディスク１５に情報を記録する場合、書込みパルス生成回路２４１（駆動信号生成手段の一部）からの書込みパルス信号ＥＦＭ１、ＥＦＭ２に同期して各電流増幅器（駆動信号生成手段の一部）をオン／オフ制御し、マーク領域とスペース領域とを形成している。ここでは、ライトパワーＰw（パワーのピーク値）で半導体レーザＬＤを点灯させるときの駆動信号は、３つの電流信号を加算して生成されるため、記録速度の高速化に対応して、ライトパワーに対応する駆動信号が大きくなっても、各ＤＡＣから出力される電流信号の信号レベルを従来以上に高くする必要はない。そのため、レーザ制御回路２４を構成する電気・電子部品が大量生産されている安価な汎用品であっても、記録品質に影響するような信号遅延が駆動信号に生じることを抑制することできる。すなわち、記録速度が高速化されても、書き込み信号に対応した駆動信号を精度良く出力することができる。従って、結果として、高コスト化を招くことなく、高速記録においても最適な発光パワーを維持することが可能となる。
【００７６】
また、記録中には、半導体レーザＬＤから出射されるレーザ光の光量をモニタし、そのモニタ信号に基づいて、Ｓ／Ｈ回路２４３及び比較回路２５１により、電流増幅器２５７の出力信号と電流増幅器２５９の出力信号とを加算した信号の電流値がイレーズパワーＰeに対応する駆動信号の電流値とほぼ一致するように第１電流信号を調整している。また、モニタ信号に基づいて、Ｓ／Ｈ回路２４４及び比較回路２５２により、各電流増幅器の出力信号を加算した信号の電流値がライトパワーＰwに対応する駆動信号の電流値とほぼ一致するように第２電流信号を調整している。これらにより、記録中に温度上昇などに起因して半導体レーザＬＤの発光特性が変化してもほぼリアルタイムで対応することが可能となる。
【００７７】
また、本実施形態に係る光ディスク装置２０によると、レーザ制御回路２４からの駆動信号によって半導体レーザＬＤが駆動されるため、高速記録においても最適な発光パワーを維持することができる。従って、高速度での記録を安定して行うことが可能となる。
【００７８】
なお、上記実施形態では、ライトパワーＰwに対応する駆動信号を生成するときに、３つの電流信号が加算される場合について説明したが、これに限らず、４つ以上の電流信号が加算されても良い。
【００７９】
また、上記実施形態では、各ＤＡＣはＣＰＵ４０からのデジタル信号をアナログ信号に変換する場合について説明したが、これに限らず、例えば各ＤＡＣに対応したレジスタをそれぞれ配置し、ＣＰＵ４０から各レジスタに値をそれぞれセットしても良い。この場合には、各ＤＡＣは対応するレジスタ値に基づいてアナログ信号を出力する。このとき、レジスタにセットされる値が固定の場合には、ＣＰＵ４０からセットされなくてもレジスタ値が固定値となるようにしても良い。これにより、ＣＰＵ４０の負荷を低減することができる。
【００８０】
また、上記実施形態では、光ディスク１５がＣＤ−ＲＷの規格に準拠した情報記録媒体の場合について説明したが、本発明がこれに限定されるものではない。書き換え可能な光ディスクとして、ＤＶＤ−ＲＷ、ＤＶＤ＋ＲＷの規格に準拠した情報記録媒体であっても良い。
【００８１】
また、光ディスク１５は、ＣＤ−Ｒ、ＤＶＤ−Ｒ、ＤＶＤ＋Ｒなどの追記型の光ディスクであっても良い。
【００８２】
例えば光ディスク１５として、ＣＤ−Ｒの規格に準拠した情報記録媒体が用いられる場合について図６〜図８を用いて説明する。なお、発光パワーの制御は単パルス記録方式で行なわれるものとする。
【００８３】
この場合には、上記実施形態におけるレーザ制御回路２４に代えて、一例として図６に示されるレーザ制御回路２４’が用いられる。このレーザ制御回路２４’は、書込みパルス生成回路２４１、Ｉ／Ｖアンプ２４２、２つのサンプルホールド（Ｓ／Ｈ）回路（２４３、２４４）、３つのＤＡコンバータ（ＤＡＣ）（２４５、２４７、２４８）、切換スイッチｓｗ４、２つの比較回路（２５１、２５２）、２つのローパスフィルタ（ＬＰＦ）（２５３、２５４）、２つのアンプ（２５５、２５６）、３つの電流増幅器（２５７、２５８、２５９）、及びＡＤコンバータ（ＡＤＣ）２６０を有している。なお、以下においては、前記レーザ制御回路２４との相違点を中心に説明するとともに、前記レーザ制御回路２４とほぼ同一の処理又は動作を行なう部分については、その説明を簡略化し若しくは省略するものとする。
【００８４】
なお、ＣＰＵ４０にＡＤＣが付設され、アナログ信号は該ＡＤＣを介してレーザ制御回路２４’に入力される場合には、ＡＤＣ２６０は不要である。
【００８５】
Ｓ／Ｈ回路２４３は、リードパワー（Ｐrとする）に対応する信号レベルがサンプル／ホールドされるように設定されている。また、Ｓ／Ｈ回路２４４は、ライトパワーＰwに対応する信号レベルがサンプル／ホールドされるように設定されている。
【００８６】
ＤＡＣ２４５は、一例として図７に示されるように、発光パワーがリードパワーＰrとなるときの電流値（Ｉ4とする）に対応するＣＰＵ４０からのデジタル信号をアナログ信号を（第１電流信号）に変換する。
【００８７】
ＤＡＣ２４８は、発光パワーがＰm（ＰwとＰbとの間の発光パワー：中間パワー）となるときの電流値（Ｉ6とする）と電流値Ｉ4との差に対応するＣＰＵ４０からのデジタル信号をアナログ信号（第３電流信号）に変換する。
【００８８】
ＤＡＣ２４７は、発光パワーがライトパワーＰwとなるときの電流値（Ｉ5とする）と電流値Ｉ6との差に対応するＣＰＵ４０からのデジタル信号をアナログ信号（第２電流信号）に変換する。
【００８９】
切換スイッチｓｗ４は、ＣＰＵ４０からの切換信号に応じて、電流増幅器２５７が常時「オン」状態となるような電源端子、及び電流増幅器２５７が常時「オフ」状態となるような接地端子の一方を選択する。
【００９０】
書込みパルス生成回路２４１は、エンコーダ２５からの書き込み信号Ｗdata、デコーダ２８ｅからの同期信号、及びフラッシュメモリ３９に格納されている記録ストラテジ情報などに基づいて書込みパルス信号ＥＦＭ３を生成する（図８参照）。ここでは、ＥＦＭ３はライトパワーに対応して「ハイ」レベルとなるパルス信号である。
【００９１】
ＡＤＣ２６０は、アンプ２５６の出力信号をデジタル信号に変換し、ＣＰＵ４０に供給する。
【００９２】
次に、上記のように構成されるレーザ制御回路２４’の記録時の動作について図８のタイミングチャートを用いて説明する。なお、ＥＦＭ３及びＷＧ信号は「ロー」レベルであるものとする。また、切換スイッチｓｗ４では電源端子が選択されているものとする。従って、発光パワーはリードパワーＰrである。
【００９３】
記録が開始され、ＥＦＭ３が「ハイ」レベルになると、各電流増幅器はいずれも「オン」状態となり、各電流増幅器の出力信号が加算された駆動信号（電流値はＩ5）が半導体レーザＬＤに出力される。これにより、半導体レーザＬＤの発光パワーはＰwとなる。
【００９４】
ＥＦＭ３が「ロー」レベルになると、電流増幅器２５７は「オン」状態、電流増幅器２５８及び電流増幅器２５９は「オフ」状態となり、電流増幅器２５７の出力信号が駆動信号（電流値はＩ4）として半導体レーザＬＤに出力される。これにより、半導体レーザＬＤの発光パワーはＰrとなる。
【００９５】
すなわち、マーク領域を形成するときには、３つの電流信号が加算されて駆動信号が生成される。従って、上記実施形態と同様な効果を得ることができる。
【００９６】
なお、ＣＰＵ４０は、例えばバッファ・アンダーランにより一時的に記録を中断する場合に、中断する直前のアンプ２５６の出力信号レベルを保存しておき、記録を再開するときに、アンプ２５６の出力信号レベルがほぼ０であっても、駆動信号の電流値がＩ2となるようにＤＡＣ２４８への出力信号を設定しても良い。これにより、ＬＰＦ２５４のスルーレートが低くても、記録再開後、直ちに半導体レーザＬＤの発光パワーをＰwとすることができるため、記録データのつなぎ目近傍におけるデータの欠落を防止することができる。
【００９７】
また、光ディスク１５として、ＣＤ−Ｒの規格に準拠した情報記録媒体が用いられ、パルスの前縁のパワー（ピークパワーＰpとする）をライトパワーＰwよりも高パワーとする場合について図９〜図１１を用いて説明する。
【００９８】
この場合には、上記実施形態におけるレーザ制御回路２４に代えて、一例として図９に示されるレーザ制御回路２４”が用いられる。このレーザ制御回路２４”は、書込みパルス生成回路２４１、Ｉ／Ｖアンプ２４２、２つのサンプルホールド（Ｓ／Ｈ）回路（２４３、２４４）、３つのＤＡコンバータ（ＤＡＣ）（２４５、２４７、２４８）、切換スイッチｓｗ４、２つの比較回路（２５１、２５２）、２つのローパスフィルタ（ＬＰＦ）（２５３、２５４）、２つのアンプ（２５５、２５６）、及び３つの電流増幅器（２５７、２５８、２５９）を有している。なお、以下においては、前記レーザ制御回路２４との相違点を中心に説明するとともに、前記レーザ制御回路２４とほぼ同一の処理又は動作を行なう部分については、その説明を簡略化し若しくは省略するものとする。
【００９９】
ここでは、Ｓ／Ｈ回路２４３は、ピークパワーＰpに対応する信号レベルがサンプル／ホールドされるように設定されている。また、Ｓ／Ｈ回路２４４は、ライトパワーＰwに対応する信号レベルがサンプル／ホールドされるように設定されている。
【０１００】
ＤＡＣ２４５は、一例として図１０に示されるように、発光パワーがリードパワーＰrとなるときの電流値Ｉ4に対応するＣＰＵ４０からのデジタル信号をアナログ信号（第１電流信号）に変換する。ＤＡＣ２４７は、発光パワーがライトパワーＰwとなるときの電流値Ｉ5と電流値Ｉ4との差に対応するＣＰＵ４０からのデジタル信号をアナログ信号（第２電流信号）に変換する。ＤＡＣ２４８は、発光パワーがピークパワーＰpとなるときの電流値（Ｉ7とする）と電流値Ｉ5との差に対応するＣＰＵ４０からのデジタル信号をアナログ信号（第３電流信号）に変換する。
【０１０１】
また、書込みパルス生成回路２４１は、エンコーダ２５からの書き込み信号Ｗdata、デコーダ２８ｅからの同期信号、及びフラッシュメモリ３９に格納されている記録ストラテジ情報などに基づいて書込みパルス信号ＥＦＭ４、ＥＦＭ５を生成する（図１１参照）。ここでは、ＥＦＭ４はピークパワー及びライトパワーに対応して「ハイ」レベルとなるパルス信号であり、ＥＦＭ５はピークパワーに対応して「ハイ」レベルとなるパルス信号である。
【０１０２】
次に、上記のように構成されるレーザ制御回路２４”の記録時の動作について図１１のタイミングチャートを用いて説明する。なお、ＥＦＭ４及びＥＦＭ５はいずれも「ロー」レベルであるものとする。また、切換スイッチｓｗ４では電源端子が選択されているものとする。従って、発光パワーはリードパワーＰrである。
【０１０３】
記録が開始され、ＥＦＭ４及びＥＦＭ５がいずれも「ハイ」レベルになると、各電流増幅器はいずれも「オン」状態となり、各電流増幅器の出力信号が加算された駆動信号（電流値はＩ7）が半導体レーザＬＤに出力される。これにより、半導体レーザＬＤの発光パワーはＰpとなる。
【０１０４】
ＥＦＭ４が「ハイ」レベル、かつＥＦＭ５が「ロー」レベルになると、電流増幅器２５７と電流増幅器２５８は「オン」状態、電流増幅器２５９は「オフ」状態となり、電流増幅器２５７の出力信号と電流増幅器２５８の出力信号が加算された駆動信号（電流値はＩ5）が半導体レーザＬＤに出力される。これにより、半導体レーザＬＤの発光パワーはＰwとなる。
【０１０５】
ＥＦＭ４及びＥＦＭ５がいずれも「ロー」レベルになると、電流増幅器２５７は「オン」状態、電流増幅器２５８及び電流増幅器２５９は「オフ」状態となり、電流増幅器２５７の出力信号が駆動信号（電流値はＩ4）として半導体レーザＬＤに出力される。これにより、半導体レーザＬＤの発光パワーはＰrとなる。
【０１０６】
すなわち、マーク領域の先頭部分を形成するときには、３つの電流信号が加算されて駆動信号が生成される。従って、上記実施形態と同様な効果を得ることができる。
【０１０７】
さらに、光ディスク１５が約４０５ｎｍの波長の光束に対応する次世代ＤＶＤの規格に準拠した情報記録媒体であっても良い。
【０１０８】
また、上記実施形態では、情報の記録及び再生が可能な光ディスク装置について説明したが、これに限らず、情報の記録、再生及び消去のうち、少なくとも記録が可能な光ディスク装置であれば良い。
【０１０９】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。このときには、半導体レーザ毎に前述した発光パワーの制御を行っても良い。
【図面の簡単な説明】
【０１１０】
【図１】本発明の一実施形態に係る光ディスク装置の構成を示すブロック図である。
【図２】図１における光ピックアップ装置の構成を説明するための図である。
【図３】図１におけるレーザ制御回路の構成を示すブロック図である。
【図４】図４（Ａ）〜図４（Ｄ）は、それぞれ半導体レーザにおける発光パワーと駆動電流との関係を説明するための図である。
【図５】図３のレーザ制御回路における書込みパルス信号と発光パワーとの関係を説明するためのタイミングチャートである。
【図６】図１におけるレーザ制御回路の変形例（その１）の構成を示すブロック図である。
【図７】半導体レーザにおける発光パワーと駆動電流との関係を説明するための図である。
【図８】図６のレーザ制御回路における書込みパルス信号と発光パワーとの関係を説明するためのタイミングチャートである。
【図９】図１におけるレーザ制御回路の変形例（その２）の構成を示すブロック図である。
【図１０】半導体レーザにおける発光パワーと駆動電流との関係を説明するための図である。
【図１１】図９のレーザ制御回路における書込みパルス信号と発光パワーとの関係を説明するためのタイミングチャートである。
【符号の説明】
【０１１１】
１５…光ディスク、２０…光ディスク装置、２３…光ピックアップ装置（記録手段の一部）、２４…レーザ制御回路（光源駆動装置）、２５…エンコーダ（記録手段の一部）、４０…ＣＰＵ（記録手段の一部）、２４１…書込みパルス生成手段（駆動信号生成手段の一部）、２４３，２４４…Ｓ／Ｈ回路（電流信号調整手段の一部）、２４５，２４６，２４７，２４８…ＤＡＣ（電流駆動源の一部）、２５１，２５２…比較回路（電流信号調整手段の一部）、２５７，２５８，２５９…電流増幅器（駆動信号生成手段の一部）、ＬＤ…半導体レーザ（光源）、ｓｗ１，ｓｗ２，ｓｗ３,ｓｗ４…切換スイッチ（駆動信号生成手段の一部）。
【図１】
2005190608.tif 000003
【図２】
2005190608.tif 000004
【図３】
2005190608.tif 000005
【図４】
2005190608.tif 000006
【図５】
2005190608.tif 000007
【図６】
2005190608.tif 000008
【図７】
2005190608.tif 000009
【図８】
2005190608.tif 000010
【図９】
2005190608.tif 000011
【図１０】
2005190608.tif 000012
【図１１】
2005190608.tif 000013